(57)【要約】【課題】導電路を外装部材に挿通する際の作業性向上を図ることが可能なワイヤハーネスを提供する。【解決手段】外装部材１６は、ストレート部としての複数の非可撓管部２５を有する。この非可撓管部２５の内面２３には、これを凹ます形状の凹部３０が複数形成される。凹部３０は、周方向にのびる環状の凹みとして形成される。また、凹部３０は、所定の深さとなる凹みとして形成される。凹部３０は、高圧導電路１５が外装部材１６に挿通される最中に、高圧導電路１５に対し非接触状態となるような形状に形成される。また、凹部３０は、高圧導電路１５が横切るような形状にも形成される。さらに、凹部３０は、高圧導電路１５の先端部分が落ち込んで引っ掛かりが生じないような幅及び深さの形状にも形成される。【選択図】図４
2014176107.tif 000002
【特許請求の範囲】
【請求項１】
管体形状の外装部材と、該外装部材に挿通される一又は複数本の導電路とを含むワイヤハーネスにおいて、
前記外装部材はストレート部を有し、該ストレート部の内面には、挿通時の前記導電路に非接触となる凹部が形成される
ことを特徴とするワイヤハーネス。
【請求項２】
請求項１に記載のワイヤハーネスにおいて、
前記凹部の凹み縁部には、曲面又はテーパが形成される
ことを特徴とするワイヤハーネス。
【請求項３】
請求項１又は２に記載のワイヤハーネスにおいて、
前記導電路は、車両床下を通り該車両床下の前後に跨る長さに形成され、前記外装部材も前記車両床下を通り該車両床下の前後に跨る長さに形成される
ことを特徴とするワイヤハーネス。
【発明の詳細な説明】
【技術分野】
【０００１】
本発明は、管体形状の外装部材と、この外装部材に挿通される一又は複数本の導電路とを含むワイヤハーネスに関する。
【背景技術】
【０００２】
ハイブリッド自動車や電気自動車における高圧の機器間を電気的に接続する部材としてワイヤハーネスが用いられる。
【０００３】
下記特許文献１に開示されたワイヤハーネスは、複数本の高圧電線（導電路）と、この高圧電線を個々に収容する複数本の金属パイプと含んで構成される。ワイヤハーネスは、車両の前部から後部にかけてのびる長尺の部材であって、所定の経路に沿って配索される。
【０００４】
ワイヤハーネスは、真っ直ぐな状態の金属パイプに高圧電線を挿通し、これを所定本数分（文献では三本）行った後に金属パイプに曲げ加工を施して上記所定の経路に合わせた形状、すなわち三次元の立体形状に製造される。そして、製造後は立体形状を保ったままで配索先の車両まで輸送される。
【先行技術文献】
【特許文献】
【０００５】
【特許文献１】特開２００４−２２４１５６号公報
【発明の概要】
【発明が解決しようとする課題】
【０００６】
ところで、上記従来技術にあっては、金属パイプの内面を摺動させるように高圧電線を挿通する作業が行われる。この時、摺動摩擦抵抗が大きいと挿通作業性の低下につながってしまうという問題点を有する。
【０００７】
本発明は、上記した事情に鑑みてなされたもので、導電路を外装部材に挿通する際の作業性向上を図ることが可能なワイヤハーネスを提供することを課題とする。
【課題を解決するための手段】
【０００８】
上記課題を解決するためになされた請求項１に記載の本発明は、管体形状の外装部材と、該外装部材に挿通される一又は複数本の導電路とを含むワイヤハーネスにおいて、前記外装部材はストレート部を有し、該ストレート部の内面には、挿通時の前記導電路に非接触となる凹部が形成されることを特徴とする。
【０００９】
このような特徴を有する本発明によれば、導電路を外装部材に挿通すると、外装部材のストレート部の内面に形成された凹部に対し導電路が通過するようになる。そして、導電路が凹部を通過すると、導電路と内面との摺動面積が小さくなることから、凹部のない外装部材と比べて、本発明の方が摺動摩擦抵抗を少なくすることができる。
【００１０】
請求項２に記載の本発明は、請求項１に記載のワイヤハーネスにおいて、前記凹部の凹み縁部には、曲面又はテーパが形成されることを特徴とする。
【００１１】
このような特徴を有する本発明によれば、凹部の凹み縁部に曲面又はテーパを形成することから、凹部に対する導電路の引っ掛かりを起こり難くすることができる。従って、導電路を外装部材にスムーズに挿通することができる。
【００１２】
請求項３に記載の本発明は、請求項１又は２に記載のワイヤハーネスにおいて、前記導電路は、車両床下を通り該車両床下の前後に跨る長さに形成され、前記外装部材も前記車両床下を通り該車両床下の前後に跨る長さに形成されることを特徴とする。
【００１３】
このような特徴を有する本発明によれば、当該ワイヤハーネスは導電路の挿通距離が長くなる長尺なものであり、このような長尺なワイヤハーネスに対して本発明を採用することにより、ワイヤハーネスの製造に係る作業性を向上させることができる。
【発明の効果】
【００１４】
請求項１に記載された本発明によれば、導電路を外装部材に挿通する際の作業性の向上を図ることができるという効果を奏する。また、請求項２に記載された本発明によれば、更に作業性の向上を図ることができるという効果を奏する。また、請求項３に記載された本発明によれば、長尺なワイヤハーネスに本発明を適用することができるという効果を奏する。
【図面の簡単な説明】
【００１５】
【図１】本発明のワイヤハーネスの配索状態を示す模式図である。
【図２】ワイヤハーネスの斜視図である。
【図３】図２のＡ−Ａ線断面図である。
【図４】導電路挿通作業時の断面図である。
【図５】変形例としてのワイヤハーネスの斜視図である。
【図６】図５のＢ−Ｂ線断面図である。
【発明を実施するための形態】
【００１６】
ワイヤハーネスは、内面に凹部が形成された管体形状の外装部材と、この外装部材に挿通される一又は複数本の導電路とを含んで構成される。凹部の凹み縁部には、曲面又はテーパが形成される。
【実施例】
【００１７】
以下、図面を参照しながら実施例を説明する。図１は本発明のワイヤハーネスの配索状態を示す模式図である。また、図２はワイヤハーネスの斜視図、図３は図２のＡ−Ａ線断面図、図４は導電路挿通作業時の断面図、図５は変形例としてのワイヤハーネスの斜視図、図６は図５のＢ−Ｂ線断面図である。
【００１８】
本実施例においては、ハイブリッド自動車（電気自動車や一般的な自動車であってもよいものとする）に配索されるワイヤハーネスに対し本発明を採用するものとする。
【００１９】
図１において、引用符号１はハイブリッド自動車を示す。ハイブリッド自動車１は、エンジン２及びモータユニット３の二つの動力をミックスして駆動する車両であって、モータユニット３にはインバータユニット４を介してバッテリー５（電池パック）からの電力が供給される。エンジン２、モータユニット３、及びインバータユニット４は、本実施例において前輪等がある位置のエンジンルーム６に搭載される。また、バッテリー５は、後輪等がある自動車後部７に搭載される（エンジンルーム６の後方に存在する自動車室内に搭載してもよいものとする）。
【００２０】
モータユニット３とインバータユニット４は、高圧のワイヤハーネス８により接続される。また、バッテリー５とインバータユニット４も高圧のワイヤハーネス９により接続される。ワイヤハーネス９は、この中間部１０が車両床下１１に配索される。また、車両床下１１に沿って略平行に配索される。車両床下１１は、公知のボディであるとともに所謂パネル部材であって、所定位置には貫通孔が形成される。この貫通孔には、ワイヤハーネス９が水密に挿通される。
【００２１】
ワイヤハーネス９とバッテリー５は、このバッテリー５に設けられるジャンクションブロック１２を介して接続される。ジャンクションブロック１２には、ワイヤハーネス９の後端１３が公知の方法で電気的に接続される。ワイヤハーネス９の前端１４側は、インバータユニット４に対し公知の方法で電気的に接続される。
【００２２】
モータユニット３は、モータ及びジェネレータを構成に含むものとする。また、インバータユニット４は、インバータ及びコンバータを構成に含むものとする。モータユニット３は、シールドケースを含むモータアッセンブリとして形成されるものとする。また、インバータユニット４もシールドケースを含むインバータアッセンブリとして形成されるものとする。バッテリー５は、Ｎｉ−ＭＨ系やＬｉ−ｉｏｎ系のものであって、モジュール化してなるものとする。尚、例えばキャパシタのような蓄電装置を使用することも可能であるものとする。バッテリー５は、ハイブリッド自動車１や電気自動車に使用可能であれば特に限定されないものとする。
【００２３】
図２において、ワイヤハーネス９は、高圧導電路１５（導電路）と、この高圧導電路１５を収容保護する外装部材１６と、高圧導電路１５の端末に設けられるシールドコネクタ（図示省略）と、外装部材１６の外面に取り付けられる複数のクランプ（図示省略）やグロメット等とを備えて構成される。
【００２４】
尚、ワイヤハーネス９は、高圧導電路１５と一緒に低圧導電路も外装部材１６に収容保護するような構成及び構造としてもよいものとする。
【００２５】
高圧導電路１５は、二本の高圧回路１７と、この二本の高圧回路１７を覆うシールド部材１８と、シールド部材１８の外側に設けられるシース１９とを備えて構成される（一例であるものとする）。
【００２６】
高圧回路１７は、ここでは公知の高圧電線であって、導体２０と、この導体２０を被覆する絶縁体２１とを備えて構成される。高圧回路１７は、電気的な接続に必要な長さを有するように形成される。高圧回路１７は、ワイヤハーネス９がインバータユニット４とバッテリー５（ジャンクションブロック１２）とを電気的に接続する（図１参照）ことから、長尺なものに形成される。
【００２７】
導体２０は、銅や銅合金、或いはアルミニウムやアルミニウム合金により製造される。導体２０に関しては、素線を撚り合わせてなる導体構造のものや、断面矩形又は丸形となる棒状の導体構造（例えば平角単心や丸単心となる導体構造であり、この場合、電線自体も棒状となる）のもののいずれであってもよいものとする。以上のような導体２０は、この外面に絶縁性の樹脂材料からなる絶縁体２１が押出成形される。
【００２８】
尚、高圧回路１７として、本実施例では公知の高圧電線の構成を採用するが、この限りでないものとする。すなわち、公知のバスバーに絶縁体を設けて高圧回路としたもの等を採用してもよいものとする。
【００２９】
シールド部材１８は、二本の高圧回路１７を一括して覆う電磁シールド用の部材（電磁波対策用のシールド部材）であって、多数の素線を筒状に編んでなる公知の編組が採用される。シールド部材１８は、二本の高圧回路１７の全長とほぼ同じ長さに形成される。シールド部材１８は、この端部が上記シールドコネクタ（図示省略）を介してインバータユニット４（図１参照）のシールドケース等（図示省略）に接続される。
【００３０】
シールド部材１８は、電磁波対策をすることが可能であれば、例えば導電性を有する金属箔や、この金属箔を含む部材を採用してもよいものとする。
【００３１】
シース１９は、絶縁性を有する樹脂材料を所定の厚さでシールド部材１８の外側に押出成形してなるものであり、高圧導電路１５の最外層となる位置に配置される。
【００３２】
高圧導電路１５以外としては、公知のシールド電線が挙げられるものとする。本数は一又は複数本であるものとする。また、一本でプラス回路及びマイナス回路を同軸で有するように、或いは一本で三回路以上を同軸で有するように構成される高圧同軸複合導電路（図示省略）等も挙げられるものとする。
【００３３】
図２及び図３において、外装部材１６は、上記高圧導電路１５を覆う樹脂製の管体であって、高圧導電路１５の挿通収容に必要な長さ、及び保護に必要な厚みを有する形状に形成される。また、外装部材１６は、この外面２２から内面２３へと通じるスリット等がない形状にも形成される。外装部材１６は、高圧導電路１５を水分から遠ざける（防水する）ことができる形状に、また、長尺な形状に形成される。外装部材１６は、車両床下１１（図１参照）の前後に跨る長さに形成される。尚、外装部材１６は樹脂製に限らず金属製であってもよいものとする。
【００３４】
外装部材１６は、本実施例において断面略矩形状に形成される（断面形状は一例であるものとする。円形状や長円形状や楕円形状等であってもよいものとする。尚、低背化には丸型よりも平型が有効であるのは勿論である）。また、外装部材１６は、可撓性を有する複数の可撓管部２４と、この可撓管部２４のような可撓性を持たない複数の非可撓管部２５（ストレート部）とを有して、例えば図示形状に形成される。
【００３５】
可撓管部２４と非可撓管部２５は、可撓管部２４を撓ませない状態で全体が直線状となるように一体に樹脂成型される。可撓管部２４と非可撓管部２５は、管軸方向に交互に連続するように配置形成される。
【００３６】
可撓管部２４は、車両取付形状（ワイヤハーネス配索先の形状。固定対象の形状）に合わせた位置に配置される。また、可撓管部２４は、車両取付形状に合わせた長さにも形成される。
【００３７】
尚、可撓管部２４の長さを管軸方向に異ならせることで、車両取付形状に合わせて必要な長さで撓ませることができるようになる。このような可撓管部２４は、ワイヤハーネス９の製造後となる、梱包時や輸送時、車両への経路配索時に、それぞれ所望の角度で撓ませることができるようになる（図示省略）。
【００３８】
可撓管部２４は、撓ませて曲げ形状にすることができるとともに、元のストレートな形状に戻すことも当然にできるものとする。
【００３９】
可撓管部２４は、本実施例において蛇腹管形状に形成される（可撓性を有すれば形状は特に限定されないものとする）。具体的には、周方向の凹部２６及び凸部２７を有するとともに、これら凹部２６及び凸部２７が管軸方向に交互に連続するように複数形成される。
【００４０】
上記説明からも分かるように、可撓管部２４の配置部分が恰もコルゲートチューブとなる形状に形成される。言い換えれば、部分的にコルゲートチューブを有する形状に形成される。外装部材１６は、上記の如くコルゲートチューブの部分を有することから、「コルチューブ」や「部分形成コルゲートチューブ」などと呼ぶこともできるものとする。
【００４１】
外装部材１６は、この管軸方向に沿ってスリットを設けない（腹割きのない）形状に形成される。スリットを設けない理由としては、外装部材１６内への水分の浸入を防止して防水性の向上を図る点が挙げられる。また、例えば撓ませた部分において高圧導電路１５のはみ出しを生じさせない点も挙げられる。さらには、外装部材１６自体の剛性アップを図る点も挙げられる。
【００４２】
尚、外装部材１６は、上記の点を満足することができれば所定位置で分割がなされるような形状に形成されてもよいものとする。この場合、接着や溶着、或いは連結するための後付け部材等により一体化されるものとする。
【００４３】
非可撓管部２５は、ワイヤハーネス９の梱包時や輸送時、経路配索時に曲がらない部分として形成される（曲がらない部分とは、可撓性を積極的に持たせない部分という意味である）。また、非可撓管部２５は、断面略矩形状のストレートチューブ形状に形成される（断面形状は一例であるものとする。円形状や長円形状や楕円形状等であってもよいものとする。尚、低背化には丸型よりも平型が有効であるのは勿論である）。非可撓管部２５は、上記車両取付形状に合わせた位置や長さに形成される。非可撓管部２５は、上記の如くストレートチューブ形状（直管形状）に形成されることから、「ストレート部」や「直管部」などと呼ぶこともできるものとする。
【００４４】
断面略矩形状の非可撓管部２５は、一対の長辺側壁部２８と、一対の短辺側壁部２９とを有する。一対の長辺側壁部２８は、図中の断面状態で見ると水平方向にのびるように形成される。一方、一対の短辺側壁部２９は、若干湾曲した状態で垂直方向にのびるように形成される。このような断面形状であれば、垂直方向からの外力、また、垂直方向からの外力に対し強い形状であると言える。
【００４５】
図３及び図４において、非可撓管部２５の内面２３には、これを凹ます形状の凹部３０が複数形成される。また、凹部３０に対応する位置で非可撓管部２５の外面２２には、凹部３０の形成に伴って突出する凸部３１が複数形成される。凹部３０は、周方向にのびる環状の凹みとして形成される。また、凹部３０は、所定の深さとなる凹みとして形成される。本実施例においては、浅底の凹みとして形成される。
【００４６】
凹部３０は、高圧導電路１５を外装部材１６に挿通する最中（図４参照）に、高圧導電路１５に対し非接触となるような形状に形成される。また、凹部３０は、高圧導電路１５が横切るような形状にも形成される。さらに、凹部３０は、高圧導電路１５の先端部分が落ち込んで引っ掛かりが生じないような幅及び深さの形状にも形成される。尚、引っ掛かり防止に関しては、凹部３０の凹み縁部に形成される曲面３２（又はテーパ）が有効であるものとする。以上のような凹部３０は、管軸方向に所定の間隔をあけて配置される。
【００４７】
非可撓管部２５の内面２３は、凹部３０の数分だけ高圧導電路１５との摺動が途切れるようになることから、また、高圧導電路１５の摺動面積が少なくなることから、結果、摺動摩擦抵抗を少なくすることができる。
【００４８】
複数の非可撓管部２５のうち、車両床下１１（図１参照）に取り付けされるものは長尺に形成される。長尺に形成された非可撓管部２５は、例えばリーンホースに沿わせるように取り付けられる。
【００４９】
上記構成及び構造において、ワイヤハーネス９は次のようにして製造される（図示省略）。すなわち、ワイヤハーネス９は、全体が略直線状に樹脂成型された外装部材１６の一端から他端へと高圧導電路１５を挿通することにより製造される。また、ワイヤハーネス９は、外装部材１６の外面所定位置にクランプやグロメットやブーツ等を取り付けることにより製造される。さらに、ワイヤハーネス９は、シールドコネクタを高圧導電路１５の端末部分に設けることにより製造される。
【００５０】
ワイヤハーネス９の製造において、外装部材１６の一端から他端へと高圧導電路１５を挿通する際に、高圧導電路１５はスムーズに挿通される。これは、凹部３０により摺動摩擦抵抗が少なくなるからである。
【００５１】
上記の如く製造された後は、所定の可撓管部２４を折り畳むようにして曲げが施されると、所定の梱包状態のワイヤハーネス９になる（この時のワイヤハーネス９はコンパクトになる）。
【００５２】
以上、図１ないし図４を参照しながら説明してきたように、本発明に係るワイヤハーネス９は、複数の凹部３０を非可撓管部２５の内面２３に形成してなる外装部材１６を含んで構成されることから、この外装部材１６の一端から他端へと高圧導電路１５を挿通する際、凹部３０の数分だけ内面２３と高圧導電路１５との摺動を途切れさせることができる。従って、摺動摩擦抵抗を少なくすることができ、以て高圧導電路１５を外装部材１６にスムーズに挿通することができる（長尺であるにもかかわらずスムーズに挿通することができる）。本発明は、ワイヤハーネスの製造に係る作業性を向上させることができる。
【００５３】
尚、摺動摩擦抵抗を少なくするためとして、例えば図５及び図６に示す如くのワイヤハーネス９′を提供してもよいものとする。以下、ワイヤハーネス９′について説明をする。
【００５４】
ワイヤハーネス９′は、上記と同じ高圧導電路１５（導電路）と、この高圧導電路１５を収容保護する外装部材１６′等とを備えて構成される。
【００５５】
外装部材１６′は、可撓性を有する複数の可撓管部２４と、この可撓管部２４のような可撓性を持たない複数の非可撓管部２５′（ストレート部）とを有して、例えば図示形状に形成される。非可撓管部２５′の内面２３には、周方向の凹部３０の他に、凹部３３も複数形成される。凹部３３は、管軸方向にのびる凹みとして形成される。尚、引用符号３４は凹部３３の形成に伴って生じる凸部を示す。
【００５６】
凹部３３を付加することにより、摺動摩擦抵抗を更に少なくすることができのは勿論である。この他としては、例えばスパイラル方向にのびる凹部や、ディンプル形状の凹部等が挙げられるものとする。
【００５７】
尚、凸部３３や凸部３１は、非可撓管部２５′の剛性をアップさせる部分として有効であるものとする。また、例えばクランプ等の後付け部品の取り付け位置を認識させる部分としても有効であるものとする。
【００５８】
本発明は本発明の主旨を変えない範囲で種々変更実施可能なことは勿論である。
【符号の説明】
【００５９】
１…ハイブリッド自動車、  ２…エンジン、  ３…モータユニット、  ４…インバータユニット、  ５…バッテリー、  ６…エンジンルーム、  ７…自動車後部、  ８、９…ワイヤハーネス、  １０…中間部、  １１…車両床下、  １２…ジャンクションブロック、  １３…後端、  １４…前端、  １５…高圧導電路（導電路）、  １６…外装部材、  １７…高圧回路、  １８…シールド部材、  １９…シース、  ２０…導体、  ２１…絶縁体、  ２２…外面、  ２３…内面、  ２４…可撓管部、  ２５…非可撓管部（ストレート部）、  ２６…凹部、  ２７…凸部、  ２８…長辺側壁部、  ２９…短辺側壁部、  ３０…凹部、  ３１…曲面
【図１】
2014176107.tif 000003
【図２】
2014176107.tif 000004
【図３】
2014176107.tif 000005
【図４】
2014176107.tif 000006
【図５】
2014176107.tif 000007
【図６】
2014176107.tif 000008